(57)【要約】      （修正有）【課題】組み立てた箱体が容易に上下に分離できるカットテープの開封開始部を有する箱用シートを提供する。【解決手段】１枚のシート材から形成され箱型に組立可能な箱用シートであって、左右方向一方側から他方側に連接される糊代部１、第１側面パネル２、第２側面パネル３、第３側面パネル４及び第４側面パネル５を備え、上記第４側面パネルの内面側への上記糊代部の連結により四角筒状に組立可能に構成されており、上記第１側面パネル乃至上記第４側面パネルを左右方向に横断するカットテープ１０と上記第４側面パネルに設けられ、上記カットテープを引き剥がすための開封開始部１１とをさらに備え、上記開封開始部が、上下方向に上記カットテープを横断する直線状の切断線と上記切断線の両端それぞれから左右方向両側に延びる一対の開封誘導線１１ｂとを有し、上記一対の開封誘導線の一部が組立状態で上記糊代部と厚さ方向に重なる。【選択図】図１
0003225423.tif 000002
【実用新案登録請求の範囲】
【請求項１】
１枚のシート材から形成され、箱型に組立可能な箱用シートであって、
左右方向一方側から他方側に連接される糊代部、第１側面パネル、第２側面パネル、第３側面パネル及び第４側面パネルを備え、
上記第４側面パネルの内面側への上記糊代部の連結により四角筒状に組立可能に構成されており、
上記第１側面パネル乃至上記第４側面パネルを左右方向に横断するカットテープと、
上記第４側面パネルに設けられ、上記カットテープを引き剥がすための開封開始部と
をさらに備え、
上記開封開始部が、上下方向に上記カットテープを横断する直線状の切断線と、上記切断線の両端それぞれから左右方向両側に延びる一対の開封誘導線とを有し、
上記一対の開封誘導線の一部が、組立状態で上記糊代部と厚さ方向に重なる箱用シート。
【請求項２】
上記切断線が、組立状態で上記糊代部の先端縁と厚さ方向に重なる請求項１に記載の箱用シート。
【請求項３】
上記糊代部が、組立状態で上記一対の開封誘導線と厚さ方向に重なる一対の切断線を有する請求項１又は請求項２に記載の箱用シート。
【請求項４】
上記糊代部の一対の切断線が、上記第１側面パネルまで延出している請求項３に記載の箱用シート。
【請求項５】
上記開封開始部の上下方向の幅が１ｃｍ以上３ｃｍ以下である請求項１から請求項４のいずれか１項に記載の箱用シート。
【考案の詳細な説明】
【技術分野】
【０００１】
本考案は、箱用シートに関する。
【背景技術】
【０００２】
段ボールシートのようなシート材から形成される箱体（包装容器）として、側面パネルの内側にカットテープを周方向に設け、箱体を上下に分離可能としたものが公知である（例えば実用新案登録第３２０６８０２号公報参照）。このような箱体は、例えば上部を分離除去して収容する品物の陳列ケースとして用いられる。
【０００３】
このカットテープ付の箱体には、カットテープの切り口となる開封開始部が設けられており、この開封開始部を起点として、カットテープを箱体の外面側に引き剥がすことで側面パネルを破断させ、上記箱体を上下に分離できるように構成されている。
【０００４】
上記開封開始部は、上下方向に上記カットテープを横断する直線状の切断線と、上記切断線の両端それぞれから左右方向両側に延びる一対の開封誘導線とを有する。上記開封誘導線は、例えば切断容易線で形成され、開封前は側面パネルとつながっている。つまり、未分離の状態にあっては、開封開始部は側面パネルと面一となるように構成されており、輸送時等に障害となることを予防している。
【０００５】
この箱体を上下に分離する際には、いったん開封開始部の開封誘導線を箱体の内側に押し込むことで切断し、開封誘導線及び切断線により画定されるつまみ部を箱体の外側に引っ張ることで、カットテープに沿って箱体を引き裂く。
【先行技術文献】
【特許文献】
【０００６】
【特許文献１】実用新案登録第３２０６８０２号公報
【考案の概要】
【考案が解決しようとする課題】
【０００７】
開封開始部が上述のように用いられるので、従来の箱体では、開封開始部は側面パネルの中央部といった厚みがなく、開封誘導線の切断が容易な場所に設けられることが一般的である。
【０００８】
ところが、例えば品物が側面パネルに接するように隙間なく箱体に収容されているような場合、開封開始部の内側にも品物が当接することとなるため、開封開始部の開封誘導線を箱体の内側に押し込んで切断する余地がほとんどなく、開封誘導線の切断が困難となる。その結果として、開封開始部を箱体の外側に引き出すことが容易ではなく、箱体を上下に分離することが困難となってしまう。
【０００９】
本考案は、このような事情に鑑みてなされたものであり、品物が側面パネルに接するように隙間なく収容されている場合であっても、組み立てた箱体が容易に上下に分離できるカットテープの開封開始部を有する箱用シートの提供を課題とする。
【課題を解決するための手段】
【００１０】
本考案の一態様に係る箱用シートは、１枚のシート材から形成され、箱型に組立可能な箱用シートであって、左右方向一方側から他方側に連接される糊代部、第１側面パネル、第２側面パネル、第３側面パネル及び第４側面パネルを備え、上記第４側面パネルの内面側への上記糊代部の連結により四角筒状に組立可能に構成されており、上記第１側面パネル乃至上記第４側面パネルを左右方向に横断するカットテープと、上記第４側面パネルに設けられ、上記カットテープを引き剥がすための開封開始部とをさらに備え、上記開封開始部が、上下方向に上記カットテープを横断する直線状の切断線と、上記切断線の両端それぞれから左右方向両側に延びる一対の開封誘導線とを有し、上記一対の開封誘導線の一部が、組立状態で上記糊代部と厚さ方向に重なる。
【考案の効果】
【００１１】
本考案の箱用シートは、品物が側面パネルに接するように隙間なく収容されている場合であっても、カットテープの開封開始部を引き出し易いので、組み立てた箱体が容易に上下に分離できる。
【図面の簡単な説明】
【００１２】
【図１】図１は、本考案の一態様に係る箱用シートを示す模式的平面図（展開図）である。
【図２】図２は、図１の箱用シートを組み立てて得られる箱体を示す模式的斜視図である。
【図３】図３は、図２の箱体の開封開始部を外側から見た模式的部分拡大図である。
【図４】図４は、図３の開封開始部の押込部を箱体の内側に押し下げた状態を示す模式的部分拡大図である。
【図５】図５は、図４の開封開始部のつまみ部を箱体の外側に引き出した状態を示す模式的部分拡大図である。
【考案を実施するための形態】
【００１３】
［本考案の実施形態の説明］
最初に本考案の実施態様を列記して説明する。
【００１４】
本考案の一態様に係る箱用シートは、１枚のシート材から形成され、箱型に組立可能な箱用シートであって、左右方向一方側から他方側に連接される糊代部、第１側面パネル、第２側面パネル、第３側面パネル及び第４側面パネルを備え、上記第４側面パネルの内面側への上記糊代部の連結により四角筒状に組立可能に構成されており、上記第１側面パネル乃至上記第４側面パネルを左右方向に横断するカットテープと、上記第４側面パネルに設けられ、上記カットテープを引き剥がすための開封開始部とをさらに備え、上記開封開始部が、上下方向に上記カットテープを横断する直線状の切断線と、上記切断線の両端それぞれから左右方向両側に延びる一対の開封誘導線とを有し、上記一対の開封誘導線の一部が、組立状態で上記糊代部と厚さ方向に重なる。
【００１５】
当該箱用シートを組み立ててなる箱体において、糊代部は第４側面パネルと重なるので、糊代部と厚さ方向に重なる第４側面パネルの領域と、糊代部と厚さ方向に重ならない第４側面パネルの領域との間には段差が生じる。当該箱用シートを組み立ててなる箱体では、開封開始部の開封誘導線の一部が、組立状態で上記糊代部と厚さ方向に重なる、つまり開封開始部の開封誘導線は上記段差を跨って位置する。従って、品物が第４側面パネルに接するように隙間なく収容されている場合であっても、この段差を利用して開封開始部の開封誘導線を容易に切断することができる。また、同様にこの段差を利用して開封誘導線及び切断線により画定されるつまみ部を箱体の外側に引っ張り出し易いので、当該箱用シートを組み立ててなる箱体では、容易に上下に分離できる。
【００１６】
上記切断線が、組立状態で上記糊代部の先端縁と厚さ方向に重なるとよい。このように上記切断線を組立状態で上記糊代部の先端縁と厚さ方向に重ねることで、上記つまみ部の端面に段差が位置するので、開封誘導線の切断やつまみ部の引っ張り出しがさらに容易化できる。
【００１７】
上記糊代部が、組立状態で上記一対の開封誘導線と厚さ方向に重なる一対の切断線を有するとよい。このように上記糊代部に組立状態で上記一対の開封誘導線と厚さ方向に重なる一対の切断線を設けることで、糊代部と厚さ方向に重なる第４側面パネルの領域で開封開始部を箱体の外側に引き出し難くなることを抑止できる。
【００１８】
上記糊代部の一対の切断線が、上記第１側面パネルまで延出しているとよい。このように上記糊代部の一対の切断線を上記第１側面パネルまで延出させることで、この第１側面パネルにつながるつまみ部を起点として組み立てた箱体を上下に分離し易くすることができる。
【００１９】
上記開封開始部の上下方向の幅としては、１ｃｍ以上３ｃｍ以下が好ましい。このように上記開封開始部の上下方向の幅を上記範囲内とすることで、カットテープに沿ってより確実に組み立てた箱体を上下に分離し易い。
【００２０】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。また、「内」及び「外」は、それぞれ箱体の内側及び外側を指す。
【００２１】
［本考案の実施形態の詳細］
以下、本考案の一実施形態に係る箱用シートについて適宜図面を参照しつつ説明する。
【００２２】
本考案の一態様に係る箱用シートは、図１に示すように、１枚のシート材から形成され、図２に示すような箱体に組立可能な箱用シートである。なお、図１において、太い実線はシート材を切断した切断線を示し、細い実線はシート材に筋押しして形成される罫線を示す。
【００２３】
＜シート材＞
当該箱用シートを形成するシート材としては、例えば段ボールシート、ボール紙等を用いることができ、中でも比較的厚みのある段ボールシートが好適に用いられる。
【００２４】
上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２５】
上記シート材の厚さの下限としては、強度の観点から、３ｍｍが好ましい。一方、シート材の厚さの上限としては、特に限定されないが、箱体への組立の容易性から８ｍｍが好ましい。
【００２６】
＜側面パネル＞
当該箱用シートは、左右方向（図１ではｘ方向）一方側から他方側に連接される糊代部１、第１側面パネル２、第２側面パネル３、第３側面パネル４及び第４側面パネル５を備え、第４側面パネル５の内面側への糊代部１の連結により四角筒状に組立可能に構成されている。
【００２７】
（糊代部）
糊代部１は、第１側面パネル２の一方の側端と第４側面パネル５の他方の側端とを連結するために設けられている。つまり、左右方向に連接される第１側面パネル２乃至第４側面パネル５を四角筒状に組み立てると、第４側面パネル５が、糊代部１に当接可能となる。この第４側面パネル５の当接部分を糊代部１に貼着することで第１側面パネル２乃至第４側面パネル５を無端状に構成できる。あるいは、貼着に代えてワイヤー接合等により結合してもよい。
【００２８】
糊代部１は、方形状とすることもできるが、台形状であることが好ましい。具体的には、糊代部１は、その一対の側辺が第１側面パネル２から遠ざかるに従って内側へ傾斜する等脚台形状であるとよい。このように糊代部１を等脚台形状とすることで、当該箱用シートを箱体に組み立てた際に、糊代部１の側縁付近での第４側面パネル５との貼着強度を維持しつつ、糊代部１の側縁が後述する蓋内フラップ７や底内フラップ９と干渉することを抑止できる。
【００２９】
糊代部１が等脚台形状である場合、第１側面パネル２側の上下方向の長さは、第１側面パネル２とは反対側の上下方向より長く、その差の下限としては、０．５ｃｍが好ましく、１ｃｍがより好ましい。一方、上記差の上限としては、２ｃｍが好ましく、１．５ｃｍがより好ましい。上記差が上記下限未満であると、糊代部１の側縁が蓋内フラップ７や底内フラップ９と干渉するおそれがある。逆に、上記差が上記上限を超えると、糊代部１の側縁付近での第４側面パネル５との貼着強度が不足するおそれがある。
【００３０】
糊代部１の左右方向長さの下限としては、１ｃｍが好ましく、２ｃｍがより好ましい。一方、糊代部１の左右方向長さの上限としては、５ｃｍが好ましく、４ｃｍがより好ましい。糊代部１の左右方向長さが上記下限未満であると、糊代部１の面積が不十分となり、糊代部１と第４側面パネル５との貼着強度が不足するおそれがある。逆に、糊代部１の左右方向長さが上記上限を超えると、後述するカットテープ１０を引き剥がす際に、糊代部１と第４側面パネル５とが重なっている重なり領域の面積が大きくなる。この重なり領域では、カットテープ１０とともに糊代部１と第４側面パネル５の両方を同時に破り去る必要があるため、その面積が大きくなると、カットテープ１０を引き剥がし難くなるおそれがある。
【００３１】
糊代部１は、図２に示すように、組立状態で後述する開封開始部１１の一対の開封誘導線１１ｂと厚さ方向に重なる一対の切断線１ａを有する。このように糊代部１に組立状態で一対の開封誘導線１１ｂと厚さ方向に重なる一対の切断線１ａを設けることで、糊代部１と厚さ方向に重なる第４側面パネル５の領域で開封開始部１１を箱体の外側に引き出し難くなることを抑止できる。
【００３２】
糊代部１の一対の切断線１ａが、図１に示すように、第１側面パネル２まで延出している。このように一対の切断線１ａを第１側面パネル３まで延出させることで、この第１側面パネル２につながるつまみ部を起点として組み立てた箱体を上下に分離し易くすることができる。
【００３３】
（第１側面パネル乃至第４側面パネル）
第１側面パネル２乃至第４側面パネル５は略方形状である。このうち、第１側面パネル２と第３側面パネル４とが同じ形状及び大きさを有し、第２側面パネル３と第４側面パネル５とが同じ形状及び大きさを有する。
【００３４】
第１側面パネル２乃至第４側面パネル５の上下方向長さ（図１のｙ方向の長さ）は等しい。また、第１側面パネル２及び第３側面パネル４の左右方向長さ（図１のｘ方向の長さ）と、第２側面パネル３及び第４側面パネル５の左右方向長さは、異なってもよい。図１に示す箱用シートでは、第１側面パネル２及び第３側面パネル４の左右方向長さは、第２側面パネル３及び第４側面パネル５の左右方向長さ以上である。以下、第１側面パネル２及び第３側面パネル４の左右方向長さは、第２側面パネル３及び第４側面パネル５の左右方向長さ以上である場合を例にとり説明するが、第１側面パネル２及び第３側面パネル４の左右方向長さは、第２側面パネル３及び第４側面パネル５の左右方向長さ未満であってもよい。以降、左右方向長さの長いパネル（図１では、第１側面パネル２及び第３側面パネル４）を「長さ面パネル」、左右方向の長さの短いパネル（図１では、第２側面パネル３及び第４側面パネル５）を「幅面パネル」ともいう。
【００３５】
第１側面パネル２乃至第４側面パネル５の大きさ（左右方向長さ及び上下方向長さ）は、当該箱用シートを組み立てて成る箱体に収容する品物の大きさや個数に応じて適宜決定される。
【００３６】
＜蓋フラップ及び底フラップ＞
また、当該箱用シートは、一対の長さ面パネル（第１側面パネル２及び第３側面パネル４）の上縁から延出する一対の蓋外フラップ６と、一対の幅面パネル（第２側面パネル３及び第４側面パネル５）の上縁から延出する一対の蓋内フラップ７と、一対の長さ面パネルの下縁から延出する一対の底外フラップ８と、一対の幅面パネルの下縁から延出する一対の底内フラップ９とを備える。
【００３７】
（蓋フラップ）
一対の蓋外フラップ６及び一対の蓋内フラップ７は、略方形状であり、当該箱用シートを組み立ててなる箱体の天面側を閉塞可能に構成されている。つまり、一対の蓋外フラップ６及び一対の蓋内フラップ７は、組立時に、それぞれ延出する長さ面パネル及び幅面パネルに対して内側へ直角に折り曲げられ、蓋内フラップ７が内側となるように重ね合わされて箱体の蓋部を形成することができる。
【００３８】
一対の蓋外フラップ６は、先端縁同士を突き合わせられるように構成されている。それぞれの蓋外フラップ６の延出方向長さ（図１のｙ方向の長さ）は、例えば幅面パネルの左右方向の長さの１／２とされる。
【００３９】
一方、蓋内フラップ７の延出方向長さは、特に限定されないが、蓋外フラップ６の長さと同等とできる。
【００４０】
なお、蓋外フラップ６及び蓋内フラップ７の左右方向の長さ（図１のｘ方向の長さ）は、特に限定されないが、それぞれ延出する長さ面パネル及び幅面パネルの左右方向の長さと同等とすることが好ましい。
【００４１】
（底フラップ）
一対の底外フラップ８及び一対の底内フラップ９は、略方形状であり、上記箱体の底面側を閉塞可能に構成されている。つまり、一対の底外フラップ８及び一対の底内フラップ９は、組立時に、それぞれ延出する長さ面パネル及び幅面パネルに対して内側へ直角に折り曲げられ、底内フラップ９が内側となるように重ね合わされて箱体の底部を形成することができる。
【００４２】
上記箱体の底部を閉塞可能に構成されている点を除き、一対の底外フラップ８及び一対の底内フラップ９は、一対の蓋外フラップ６及び一対の蓋内フラップ７と同様に構成できるので、詳細説明を省略する。
【００４３】
＜カットテープ及び開封開始部＞
当該箱用シートは、図１に示すように、第１側面パネル２乃至第４側面パネル５を左右方向に横断するカットテープ１０と、第４側面パネル５に設けられ、カットテープ１０を引き剥がすための開封開始部１１とをさらに備える。
【００４４】
（カットテープ）
カットテープ１０は、ポリプロピレンやポリエチレン等の合成樹脂を素材とし、箱体の分割を容易とするために、図２に示すように、箱体の内面側に貼り付けられる帯状の部材である。
【００４５】
カットテープ１０は、箱体の側面を１周するように設けられる。図１の箱用シートでは、カットテープ１０は、第１側面パネル２乃至第４側面パネル５の略中央部を第１側面パネル２乃至第４側面パネル５の側縁と平行に横断するよう設けられているが、他の形態を採用することもできる。例えばカットテープ１０の上下方向の位置は、上記箱体を上下に分離したい位置に応じて適宜変更される。また、カットテープ１０は一直線状に設けられる必要はなく、例えばＶ字状とすることもできる。
【００４６】
カットテープ１０は、糊代部１に設けない構成を採用することもできるが、図１に示すように、糊代部１にも設けられることが好ましい。このようにカットテープ１０を糊代部１にも設けることで、上記箱体をより確実に上下に分離できるようになる。
【００４７】
カットテープ１０の平均幅の下限としては、２ｍｍが好ましく、４ｍｍがより好ましい。一方、カットテープ１０の平均幅の上限としては、８ｍｍが好ましく、６ｍｍがより好ましい。カットテープ１０の平均幅が上記下限未満であると、第１側面パネル２乃至第４側面パネル５への貼付面積が不足し、カットテープ１０を箱体の外側に引き剥がす際に、カットテープ１０のみが剥がれ、箱体を上下に分離できなくなるおそれがある。逆に、カットテープ１０の平均幅が上記上限を超えると、カットテープ１０を箱体の外側に引き剥がす際に、破断すべき箱体の側面パネルの面積が大きくなるため、少ない力でカットテープ１０を引き剥がすことが困難となるおそれがある。
【００４８】
（開封開始部）
開封開始部１１は、上下方向にカットテープ１０を横断する直線状の切断線１１ａと、切断線１１ａの両端それぞれから左右方向両側に延びる一対の開封誘導線１１ｂとを有する。
【００４９】
切断線１１ａは、図２に示すように、組立状態で糊代部１の先端縁と厚さ方向に重なるように設けられている。糊代部１は第４側面パネル５と重なるので、糊代部１と厚さ方向に重なる第４側面パネル５の領域と、糊代部１と厚さ方向に重ならない第４側面パネル５の領域との間には段差が生じる。切断線１１ａを組立状態で糊代部１の先端縁と厚さ方向に重ねることで、後述するつまみ部１１ｃの端面に上記段差が位置するので、開封誘導線１１ｂの切断やつまみ部１１ｃの引っ張り出しがさらに容易化できる。
【００５０】
また、一対の開封誘導線１１ｂは、図２に示すように、その一部が組立状態で糊代部１と厚さ方向に重なるように設けられている。これらの切断線１１ａ及び一対の開封誘導線１１ｂにより、開封開始部１１には、図３に示すように、組立状態で糊代部１と厚さ方向に重なる側に延びる一対の開封誘導線１１ｂと、切断線１１ａとにより画定されるつまみ部１１ｃが構成されており、組立状態で糊代部１と厚さ方向に重なる側とは反対側に延びる一対の開封誘導線１１ｂと、切断線１１ａとにより画定される押込部１１ｄが構成されている。
【００５１】
開封誘導線１１ｂは、切断線で構成することもできるが、切断容易線により構成されているとよい。このように開封誘導線１１ｂを切断容易線で構成することで、つまみ部１１ｃ及び押込部１１ｄが、上記箱体を上下に分離する前は第４側面パネル５とつながっている。つまり、未分離の状態にあっては、開封開始部１１は第４側面パネル５と面一となるように構成されており、輸送時等の障害となり難い。なお、切断容易線は、例えば断続的にシート材を切断したミシン目とこのミシン目の切断線間を接続する罫線とを有するいわゆるリード罫線により形成できる。
【００５２】
開封誘導線１１ｂの端点のうち、つまみ部１１ｃ側の端点は、第４側面パネル５の側縁上に位置することが好ましい。このように開封誘導線１１ｂのつまみ部１１ｃ側の端点を第４側面パネル５の側縁上に位置させることで、糊代部１の一対の切断線１１ａで挟まれる部分と合わせて、上記箱体の外側へ引っ張り出し易くすることができる。
【００５３】
一方、開封誘導線１１ｂの端点のうち、押込部１１ｄ側の端点は、第４側面パネル５上に設けられる。切断線１１ａと押込部１１ｄ側の端点との距離の下限としては、１ｃｍが好ましく、１．５ｃｍがより好ましい。一方、上記距離の上限としては、４ｃｍが好ましく、３ｃｍがより好ましい。上記距離が上記下限未満であると、押込部１１ｄを箱体の内側に押し込んだ状態であっても、つまみ部１１ｃを箱体の外側へ引っ張り出し難いおそれがある。逆に、上記距離が上記上限を超えると、第４側面パネル５の強度が不必要に低下するおそれがある。
【００５４】
押込部１１ｄは、厚さを薄くした薄肉部であるとよい。このように押込部１１ｄを薄肉部とすることで、押込部１１ｄを上記箱体の内側に押し込んだ際に、その表面をさらに奥まらせることができる。従って、押込部１１ｄを上記箱体の内側に押し込んだ状態で、つまみ部１１ｃの表面と押込部１１ｄの表面との段差を大きくすることができるので、つまみ部１１ｃを上記箱体の外側へ引っ張り出し易くすることができる。薄肉部は、例えばシートの内面の潰し加工によって形成できる。この潰し加工としては、例えばシートの内面に多重罫線（並列な複数の罫線）を形成する方法が挙げられる。
【００５５】
開封開始部１１の上下方向の幅（一対の開封誘導線１１ｂの離間距離）は、カットテープ１０の幅より広く取られる。また、開封開始部１１の上下方向の幅の下限としては、１ｃｍが好ましく、１．５ｃｍがより好ましい。一方、開封開始部１１の上下方向の幅の上限としては、３ｃｍが好ましく、２．５ｃｍがより好ましい。開封開始部１１の上下方向の幅が上記下限未満であると、つまみ部１１ｃを持ち難くなるため、カットテープに沿って上記箱体を上下に分離し難くなるおそれがある。逆に、開封開始部１１の上下方向の幅が上記上限を超えると、カットテープ１０を箱体の外側に引き剥がす際に、破断すべき箱体の側面パネルの面積が大きくなるため、少ない力でカットテープ１０を引き剥がすことが困難となるおそれがある。
【００５６】
＜箱体の組立方法＞
当該箱用シートを箱体に組み立てる箱体の組立方法は、四角筒状部組立工程と、底部組立工程と、蓋部組立工程とを備える。
【００５７】
（四角筒状部組立工程）
四角筒状部組立工程では、左右方向に連接される第１側面パネル２乃至第４側面パネル５を四角筒状に組み立てる。
【００５８】
具体的には、以下の手順による。まず、第１側面パネル２を、隣接する第２側面パネル３の内面側に折り重ね、第４側面パネル５を、隣接する第３側面パネル４の内面側に折り重ねる。そして糊代部１を第４側面パネル５の内面に貼着する。これにより、第１側面パネル２乃至第４側面パネル５が無端状に接続される。当該箱用シートは、この状態でユーザ（箱体の使用者）に提供される。第４側面パネル５への糊代部１の貼着は、例えば接着剤、ステープラー等を用いて行うことができる。
【００５９】
次に、無端状に接続された第１側面パネル２乃至第４側面パネル５を四角筒状に広げる。これにより、箱体の側面が四角筒状に組み立てられる。
【００６０】
（底部組立工程）
底部組立工程では、一対の底外フラップ８及び一対の底内フラップ９により箱体の底部を組み立てる。
【００６１】
具体的には、以下の手順による。まず、一対の底内フラップ９を第２側面パネル３及び第４側面パネル５に対して直角になるように四角筒状の箱体の内側に折り曲げる。次に、その外面に接するように一対の底外フラップ８を第１側面パネル２及び第３側面パネル４に対して直角になるように折り曲げる。一対の底外フラップ８は、先端縁同士を突き合わせ可能に構成されているので、この突き合わせ部に例えば封函テープを貼着することで、底部が形成される。
【００６２】
（蓋部組立工程）
蓋部組立工程では、一対の蓋外フラップ７及び一対の蓋内フラップ８により箱体の蓋部を組み立てる。
【００６３】
この工程は、梱包する対象物を上記底部及び上記四角筒状部で囲まれる空間に収容した後に行われる。蓋部の形成方法は、底部組立工程と同様の手順で行うことができる。
【００６４】
以上のようにして、当該箱用シートを箱体に組み立てることができる。
【００６５】
＜箱体の上下分離方法＞
当該箱用シートを組み立ててなる箱体を上下に分離する上下分離方法は、押込工程と、引出工程と、破断工程とを備える。
【００６６】
（押込工程）
押込工程では、図４に示すように、開封開始部１１の押込部１１ｄを箱体の内側へ押し込む。
【００６７】
具体的には、以下の手順による。開封開始部１１の押込部１１ｄを外側から押すと、押込部１１ｄを画定している開封誘導線１１ｂが破断し、図４に示すように、切断線１１ａと対向する押込部１１ｄの１辺を回転軸として、押込部１１ｄが上記箱体の内側へ押し込まれる。このとき、開封開始部１１のつまみ部１１ｃは、糊代部１と第４側面パネル５との２枚分のシート厚みがあり、押込部１１ｄは１枚のシートをさらに薄肉化しているので、仮に糊代部１に品物が当接するように収納されていた場合であっても、切断線１１ａの位置において、つまみ部１１ｃの表面と押込部１１ｄの表面との間には、少なくともシート厚みの１枚強の段差が形成できる。
【００６８】
（引出工程）
引出工程では、図５に示すように、押込工程後に、開封開始部１１のつまみ部１１ｃを箱体の外側へ引き出す。
【００６９】
当該箱用シートを組み立ててなる箱体では、上述のようにつまみ部１１ｃの表面と押込部１１ｄの表面との間には、少なくともシート厚みの１枚強の段差が形成されているので、この段差に指をかけてつまみ部１１ｃを画定している開封誘導線１１ｂを破断しつつ、つまみ部１１ｃを容易に箱体の外側へ引き出すことができる。
【００７０】
また、上記箱体では、糊代部１が開封開始部１１の一対の開封誘導線１１ｂと厚さ方向に重なる一対の切断線１ａを有しており、かつその切断線１ａが第１側面パネル２まで延出している。このため、つまみ部１１ｃを画定している開封誘導線１１ｂを破断させると、糊代部１の一対の切断線１ａ間で画定される領域と共に、この第１側面パネル２の延出部分までの領域を箱体の外側へ引き出すことができる。
【００７１】
（破断工程）
破断工程では、引出工程後に、カットテープ１０を上記箱体の外側へ引き剥がすことで、第１側面パネル２乃至第４側面パネル５のカットテープ１０が貼付されている部分を破断させる。
【００７２】
具体的には、箱体の外側へ引き出したつまみ部１１ｃを、カットテープ１０を箱体の外側へ引き剥がすように側面パネルの周方向に沿って移動させるとよい。
【００７３】
以上のようにして、上記箱体を上下に分離することができる。
【００７４】
＜利点＞
当該箱用シートを組み立ててなる箱体において、糊代部１は第４側面パネル５と重なるので、糊代部１と厚さ方向に重なる第４側面パネル５の領域と、糊代部１と厚さ方向に重ならない第４側面パネル５の領域との間には段差が生じる。当該箱用シートを組み立ててなる箱体では、開封開始部１１の開封誘導線１１ｂの一部が、組立状態で糊代部１と厚さ方向に重なる、つまり開封開始部１１の開封誘導線１１ｂは上記段差を跨って位置する。従って、品物が第４側面パネル５に接するように隙間なく収容されている場合であっても、この段差を利用して開封開始部１１の開封誘導線１１ｂを容易に切断することができる。また、同様にこの段差を利用して開封誘導線１１ｂ及び切断線１１ａにより画定されるつまみ部１１ｃを箱体の外側に引っ張り出し易いので、当該箱用シートを組み立ててなる箱体では、容易に上下に分離できる。
【００７５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００７６】
上記実施形態では、開封開始部の切断線が組立状態で糊代部の先端縁と厚さ方向に重なる場合について説明したが、上記切断線が組立状態で糊代部の先端縁と厚さ方向に重なることは必須の構成要件ではない。一対の開封誘導線の一部が組立状態で糊代部と厚さ方向に重なるように設けられている限り、切断線を他の位置に設けることも可能である。ただし、糊代部と厚さ方向に重なる第４側面パネルの領域と、糊代部と厚さ方向に重ならない第４側面パネルの領域との間の段差を効果的に利用する観点から、上記切断線は糊代部の近傍にあることが好ましく、かつ糊代部と厚さ方向に重ならない第４側面パネルの領域にあることがより好ましい。
【００７７】
上記実施形態では、糊代部が、組立状態で開封開始部の一対の開封誘導線と厚さ方向に重なる一対の切断線を有する場合を説明したが、切断線に代えて切断容易線とすることも可能である。また、糊代部が上記切断線や上記切断容易線を有さない構成も本考案の意図するところである。
【００７８】
また、上記実施形態では、糊代部の切断線が第１側面パネルまで延出している場合を説明したが、上記切断線が第１側面パネルまで延出しない構成も本考案の意図するところである。
【産業上の利用可能性】
【００７９】
以上のように、本考案の箱用シートは、品物が側面パネルに接するように隙間なく収容されている場合であっても、カットテープの開封開始部を引き出し易いので、組み立てた箱体が容易に上下に分離できる。
【符号の説明】
【００８０】
１  糊代部
１ａ  切断線
２  第１側面パネル
３  第２側面パネル
４  第３側面パネル
５  第４側面パネル
６  蓋外フラップ
７  蓋内フラップ
８  底外フラップ
９  底内フラップ
１０  カットテープ
１１  開封開始部
１１ａ  切断線
１１ｂ  開封誘導線
１１ｃ  つまみ部
１１ｄ  押込部
【図１】
0003225423.tif 000003
【図２】
0003225423.tif 000004
【図３】
0003225423.tif 000005
【図４】
0003225423.tif 000006
【図５】
0003225423.tif 000007